【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
患部を間にして、人体に接触可能な少なくとも一対の電極パッドと、これら対をなす電極パッド間に、規則的に反復される時間間隔で向きを逆転し、交互に正側及び負側に電圧が増減する電圧波形の電流を流すようにされた本体装置部と、この本体装置部に接続され、前記対をなす電極パッド間に印加される電圧の大小を表示する表示部、及び、前記本体装置部を操作するための操作・表示パネルと、を備える周波治療器であって、
前記本体装置部は、周波数が異なる複数種類の電圧波形が記憶された波形メモリと、
前記波形メモリに記憶された複数種類の電圧波形を選択的に読出して、その電圧波形を繰返し、且つ、連続的に用いて電流を前記対をなす電極パッドに流すようにされた中央制御装置と、
を有してなり、
前記波形メモリは、電圧波形を、前記複数種類の周波数における各周波数毎に、サンプリング周波数が１９２ｋＨｚ以上、量子化ビット数が２４ビット以上の矩形波からなる波形データとして記憶していて、
前記中央制御装置は、前記波形メモリから１種類の周波数毎に前記波形データを読み出して、その１種類の周波数につき予め設定された時間の間に、前記波形データをＤ／Ａコンバータでアナログ波形に変換して、前記電圧波形の電流を前記対をなす電極パッド間に流すように構成され、
前記波形メモリに記憶された波形データは、周波数が少なくとも１０００Ｈｚ以下の範囲では、１波形期間内で、０Ｖレベルから立上り転移期間中に正の領域に向かう立上り部、立上り終りのスパイク形状のパルス幅３０μｓｅｃ〜２００μｓｅｃの先鋭トップピーク部、前記電圧が０Ｖを超えて５Ｖ以下のハイレベル部を経て、立下り転移期間中に、負の領域に向かう立下り部、立下り終りのスパイク形状のパルス幅３０μｓｅｃ〜２００μｓｅｃの先鋭ボトムピーク部、前記電圧が０Ｖより低く−５Ｖ以上のローレベル部を経て次の立上り部に至る波形とされた
ことを特徴とする周波治療器。
【請求項２】
請求項１において、
前記先鋭トップピーク部直後で、前記ハイレベル部の直前のピーク部直後立下り部と、前記先鋭ボトムピーク部直後で、前記ローレベル部の直前のピーク部直後立上り部と、を有する
ことを特徴とする周波治療器。
【請求項３】
請求項２において、
前記ピーク部直後立下り部の電圧が、前記先鋭トップピーク部の電圧の５０％〜６５％、前記ピーク部直後立上り部の電圧が、前記先鋭ボトムピーク部の電圧の５０％〜６５％とされた
ことを特徴とする周波治療器。
【請求項４】
請求項１乃至３のいずれかにおいて、
前記波形メモリは、前記波形データを記憶する複数の記憶領域を有し、前記複数の記憶領域における１つの記憶領域は、１種類の周波数毎に、波形データが繰返し連続的に前記設定された時間分記憶され、前記中央制御装置は、前記波形メモリにおける、１つの記憶領域に記憶された前記設定された時間分の波形データを１回で読み出して、アナログ波形に変換して、前記対をなす電極パッドに流すようにされた
ことを特徴とする周波治療器。
【請求項５】
請求項１乃至３のいずれかにおいて、
前記波形メモリは、前記波形データを記憶する複数の記憶領域を有し、前記複数の記憶領域における１つの記憶領域は、１種類の周波数毎に、波形データが繰返し連続的に前記設定された時間分記憶され、前記中央制御装置は、前記波形メモリにおける、１つの記憶領域に記憶された前記設定された時間分の波形データを２乃至５回で読み出して、アナログ波形に変換して、順次、前記対をなす電極パッドに流すようにされた
ことを特徴とする周波治療器。
【請求項６】
請求項４又は５において、
前記設定された時間は３分とされたことを特徴とする周波治療器。
【請求項７】
請求項１乃至６のいずれかにおいて、
前記中央制御装置には、２以上の異なる周波数セット選択コード及び、前記周波数セット選択コード毎にこれに対応して予めセットされた複数種類の周波数の波形データ、その波形データを読み出す場合の順番が記憶されていて、前記周波数セット選択コードが入力されたとき、対応して予めセットされた複数種類の周波数の波形データを前記予め決められている順番で順次前記設定時間分ずつ読出して、且つ、出力するように構成された
ことを特徴とする周波治療器。
【請求項８】
請求項７において、
前記中央制御装置は、前記周波数セット選択コード、これに対応する周波数の種類、及び、これらの周波数の波形データの出力順を記憶しているコード別対応周波数・順番記憶手段と、
前記周波数セット選択コードを選択する周波数セット選択コード信号受付手段と、前記受付けられた周波数セット選択コード信号に基づいて、前記コード別対応周波数・順番記憶手段に記憶された順番で、前記周波数セット選択コード毎に、周波数の波形データを前記波形メモリから読出すコードグループ電圧波形読出し手段と、
前記コードグループ電圧波形読出し手段により読出した波形データを前記の順番で出力する電圧波形出力手段と、を有する
ことを特徴とする周波治療器。
【請求項９】
請求項８において、
前記周波数セット選択コード信号受付手段は、前記周波数セット選択コードを複数種類順次受付けるようにされ、且つ、前記コードグループ電圧波形読出し手段は、前記周波数セット選択コード信号受付手段により受付けられた周波数セット選択コードの順で、周波数セット選択コード毎に、波形データを読出すようにされた
ことを特徴とする周波治療器。
【請求項１０】
請求項８又は９において、
前記本体装置部は、
前記中央制御装置と、
前記波形メモリと、
前記中央制御装置からの、波形データからなるデジタル出力をアナログ出力に変換するＤ／Ａコンバータと、前記Ｄ／Ａコンバータからのアナログ出力に電圧を付与して前記電極パッド間に印加される電圧波形を形成する２つの出力ドライブと、
前記出力ドライブに、直流を供給する直流電源部と、
前記２つの出力ドライブに独立して接続される２対の電極パッドと、
を有し、
前記中央制御装置は、前記２つの出力ドライブの一つのみに直流を供給し、他の一つの出力ドライブに直流を供給しない片方出力モードと、２つの出力ドライブに同一の電圧波形を形成するように同時に直流を供給する両方出力モードを選択するように構成された
ことを特徴とする周波治療器。
【請求項１１】
請求項１０において、
前記中央制御装置は、最大で１１種類の周波数セット選択コードについて、その順番及び、周波数セット選択コード毎の片方出力モードか両方出力モードかの選択設定を受付ける周波数セット選択コード出力順・出力モード選択設定受付手段と、
前記受付けられた周波数セット選択コード、出力順、出力モード選択設定信号を記憶する周波数セット選択コード出力順・出力モード選択設定記憶手段と、
を有することを特徴とする周波治療器。
【請求項１２】
請求項１乃至１０のいずれかにおいて、
前記周波数が１０００Ｈｚを超えて２０００Ｈｚまでの間で、前記先鋭トップピーク部と前記先鋭ボトムピーク部のパルス幅を各々６０μｓｅｃ以下としたことを特徴とする周波治療器。
【手続補正２】
【補正対象書類名】明細書
【補正対象項目名】０００５
【補正方法】変更
【補正の内容】
【０００５】
この場合、電圧波形あるいは波形データは、パルス幅変調ＰＷＭ（Pulse Width Modulation）で生成したデジタル波形であり、アナログ波形をそのまま用いる場合と比較して、立上り部及び立下り部のスパイク状部分は、デジタル波形ではその量子化ビット数及びサンプリング周波数に依存するが、特に波長が短くなったとき、該スパイク状部分が消えてしまうという状態が生じた。